(57)【特許請求の範囲】
【請求項１】
下方開放した凹溝部を長手方向に沿って設けた化粧レール体を天井に配設し、前記凹溝部内に固定レールを取付けるとともに、該固定レールに対して往復移動可能に装着した可動レールに支持部材を介して移動枠体を吊支し、前記支持部材は、前記移動枠体の移動方向長さよりも若干短く設定してあり、前記可動レールを上面にネジ止めする上板と、該上板の前縁から垂下した前板、及び該前板の下縁を後方へ直角に折曲した下板を有し、前記移動枠体の移動方向における両終端部に対応する前記化粧レール体の凹溝部内に、該移動枠体の移動方向に直交した水平な支軸にて回転可能なコロを取付け、前記支持部材の移動方向両端部で下板の延長部に、前記固定レールと可動レールとで構成したレール部材の横幅と略等しい横幅を有する板バネからなり、前記コロを弾性的に乗り越えるバネ部材の基部を、前記可動レールの端部が下方から直視できないように取付け、前記コロとバネ部材とで弾性的に係合する係止手段を設けたことを特徴とする移動枠体装置。
【請求項２】
前記移動枠体に、透明又は半透明パネルを保持してなる請求項１記載の移動枠体装置。
【発明の詳細な説明】
【０００１】
【発明の属する技術分野】
本発明は、移動枠体装置に係わり、更に詳しくはドアや可動間仕切パネル、あるいは陳列用の枠体として使用可能な移動枠体装置に関するものである。
【０００２】
【従来の技術】
従来から、下方開放した凹溝部を長手方向に沿って設けた化粧レール体を天井に配設し、前記凹溝部内に固定レールを取付けるとともに、該固定レールに対して往復移動可能に装着した可動レールにドアパネルを吊支し、該ドアパネルの移動方向における閉止側端部に戸当りゴム等を添設して、ドアパネルの閉止時の衝撃を和らげていた。
【０００３】
しかし、この種の固定レールと可動レールとからなるレール部材にて抵抗が少なくドアパネルをスライド案内する構造においては、移動方向の終端にドアパネルが勢い良く衝突することがあり、それにより大きな衝突音を発生するばかりでなく、ドアパネルが跳ね返されて使用者に当ったり、ドアパネルそのものが損傷する恐れもある。特に、ガラスドアの場合には、前述の問題は顕著である。
【０００４】
尚、ドアパネルを閉止時にドア枠の框部に係止するために、ドアパネルにラッチ機構を設けることも多いが、構造が複雑になり、部品点数も増えてコスト高となる。
【０００５】
【発明が解決しようとする課題】
本発明が前述の状況に鑑み、解決しようとするところは、固定レールと可動レールとで移動枠体をスムーズに移動案内する場合、移動枠体が移動方向の両終端部において他の部材に衝突する衝撃力を和らげるとともに、その衝突の反動で跳ね返ってくるのを防止することが可能な移動枠体装置を提供する点にある。
【０００６】
【課題を解決するための手段】
本発明は、前述の課題解決のために、下方開放した凹溝部を長手方向に沿って設けた化粧レール体を天井に配設し、前記凹溝部内に固定レールを取付けるとともに、該固定レールに対して往復移動可能に装着した可動レールに支持部材を介して移動枠体を吊支し、前記支持部材は、前記移動枠体の移動方向長さよりも若干短く設定してあり、前記可動レールを上面にネジ止めする上板と、該上板の前縁から垂下した前板、及び該前板の下縁を後方へ直角に折曲した下板を有し、前記移動枠体の移動方向における両終端部に対応する前記化粧レール体の凹溝部内に、該移動枠体の移動方向に直交した水平な支軸にて回転可能なコロを取付け、前記支持部材の移動方向両端部で下板の延長部に、前記固定レールと可動レールとで構成したレール部材の横幅と略等しい横幅を有する板バネからなり、前記コロを弾性的に乗り越えるバネ部材の基部を、前記可動レールの端部が下方から直視できないように取付け、前記コロとバネ部材とで弾性的に係合する係止手段を設けてなる移動枠体装置を構成した。
【０００７】
そして、前記移動枠体に、透明又は半透明パネルを保持してなるものであり、透明又は半透明パネルがガラス板である場合にはより効果的である。
【０００８】
【発明の実施の形態】
次に本発明の実施の形態を添付図面に基づき更に詳細に説明する。図１〜図３は、本発明に係る移動枠体装置を示し、図４及び図５はその要部を示し、図中符号１は化粧レール体、２はレール部材、３は移動枠体、４は係止手段をそれぞれ示している。
【０００９】
本発明に係る移動枠体装置は、下方開放した凹溝部５を長手方向に沿って設けた化粧レール体１を天井Ｓに配設し、前記凹溝部５内にレール部材２を取付け、該レール部材２に支持部材６を介して前記移動枠体３が吊支され、前記レール部材２に沿って移動可能となっている。
【００１０】
前記レール部材２は、図５に示すように、本実施形態ではベアリング構造のリニアガイドであり、前記化粧レール体１の凹溝部５内に取付ける固定レール７と、該固定レール７に対して移動可能な可動レール８とで構成され、前記固定レール７と可動レール８とは、リテナー９で保持された多数のベアリング１０，…を介して滑動可能に取付けられている。前記可動レール８は、前記支持部材６の全長に渡った長さを有しても、また複数に分割されたものを前記支持部材６の少なくとも両端部に取付けるものでも良い。
【００１１】
前記支持部材６は、前記移動枠体３の移動方向長さよりも若干短く設定してあり、前記可動レール８を上面にネジ止めする上板１１と、該上板１１の前縁から垂下した前板１２、及び該前板１２の下縁を後方へ直角に折曲した下板１３を有し、更に下板１３の後縁を若干上方へ立ち上げて補強片１４を形成し、前記下板１３の長手方向両端部寄り位置に、前記前板１２との折曲縁まで開放した平面視略Ｕ字形の係止孔１５を形成するとともに、該係止孔１５に連通し、その幅よりも大きな横幅を有する挿入孔１６を前記前板１２に形成している。
【００１２】
そして、前記移動枠体３を前記支持部材６に吊支するには、前記移動枠体３の上端部に立設した頭付きボルトからなる支持棒１７の頭部１７Ａを、前面がわから前記挿入孔１６内に挿入するとともに、支持棒１７の軸部１７Ｂを前記係止孔１５内に係合し、該頭部１７Ａを下板１３の上面に係止した状態で、前記挿入孔１６を覆うように、側面視Ｌ字形の固定金具１８を垂直板１８Ａを前板１２にネジ止めするとともに、水平板１８Ｂに形成した切欠凹部１８Ｃを前記支持棒１７の軸部１７Ｂに係合する。ここで、前記移動枠体３の高さを調節するには、前記支持棒１７の軸部１７Ｂを移動枠体３の上枠材１９に螺合する深さを調節して行い、この高さ調節後、前記支持棒１７を支持部材６に吊支した状態では、前記頭部１７Ａが固定金具１８を垂直板１８Ａに回り止め状態で当止されているので緩むことがなく、一旦調節すれば高さが変化することがない。
【００１３】
また、前記移動枠体３は、押出し成形した型材からなる前記上枠材１９と図示しない下枠材及び側枠材２０，２０とから枠組み形成されたものである。本実施形態では、前記移動枠体３の内周部に、強化ガラス板からなる透明パネル２１を装着し、ドアパネルを構成している。また、前記移動枠体３の内周部に、半透明パネルを装着したり、完全に不透明なパネルを装着しても良い。また、パンチングメタル、金属メッシュ、金属格子やその他、展示用、掲示用等のボード類を装着することも可能である。
【００１４】
そして、前記化粧レール体１の凹溝部５内に前記固定レール７を取付けるとともに、該固定レール７に対して往復移動可能に装着した可動レール８に移動枠体３を吊支し、該移動枠体３の移動方向における両終端部に対応する前記化粧レール体１の凹溝部５内と、移動枠体３の上端部で移動方向両端部とに、互いに弾性的に係合する係止手段４，４を設けている。
【００１５】
更に詳しくは、前記係止手段４が、移動枠体３の移動方向に直交した水平な支軸２２にて回転可能なコロ２３と、該コロ２３を弾性的に乗り越えるバネ部材２４とからなり、コロ２３とバネ部材２４の一方を前記化粧レール体１の凹溝部５内に取付け、他方を前記移動枠体３の上端部に直接又は他の部材を介して取付ける。本実施形態では、前記係止手段４のコロ２３を前記化粧レール体１の凹溝部５内に取付け、バネ部材２４を前記移動枠体３の上端部に直接又は他の部材を介して前記可動レール８の端部を下方から隠蔽するように取付けている。
【００１６】
前記コロ２３は、前記化粧レール体１の凹溝部５内に取付けた端部材２５に取付けている。この端部材２５は、金属板を折曲加工したものであり、断面略コ字形を有している。前記バネ部材２４は、前記レール部材２の横幅と略等しい横幅を有する板バネであり、基部２６を前記支持部材６の下板１３の延長部２７の上面にネジ止めして固定し、先端を移動方向に沿って外側に向け、上方へ若干傾斜した傾斜部２８の先端に山形の係止部２９を屈曲形成したものである。前記バネ部材２４の係止部２９の上端は、前記コロ２３の下端よりも高い位置になるように設定し、前記移動枠体３をその移動終端まで移動させる際に、その直前に前記バネ部材２４の係止部２９が前記コロ２３の下端を弾性的に変形しながら乗り越える。図２は、前記バネ部材２４の係止部２９が前記コロ２３に接近している状態、図３は前記バネ部材２４の係止部２９が前記コロ２３の下端を乗り越えた状態を示している。ここで、前記移動枠体３が移動終端で停止している図３の状態では、前記バネ部材２４は前記コロ２３に下方から圧接しており、この状態を準安定に維持し、容易に係止部２９が前記コロ２３の下端を乗り越えて逆戻りしないようになっている。
【００１７】
また、前記バネ部材２４は、前記支持部材６の端部から移動方向の外側上方へ向かって配置しているので、該バネ部材２４によって少なくとも前記可動レール８の端部を下方から隠蔽することができる。
【００１８】
また、前記化粧レール体１は、図５及び図６に示すように、押出し成形した型材からなる本体レール３０と開閉カバー３１との二部材で構成し、本体レール３０は上面の取付面３２と上下幅の広い側面板３３と反対側に上下幅の狭い側面板３４とを有し、前記開閉カバー３１は、前記側面板３４の下端に着脱可能且つ開閉可能に連結している。前記側面板３４の下端縁には、半円筒形の受縁３５を形成し、前記開閉カバー３１の上端縁に前記受縁３５の円形溝内に挿入し、その内部で回転可能な嵌合部３６と、該嵌合部３６の基部から１／４円筒形で前記受縁３５に外接する包持部３７を形成し、前記開閉カバー３１を略水平な状態で、前記嵌合部３６を前記受縁３５の円形溝内に挿入し、そらから下方へ９０度回転させると、該嵌合部３６が前記受縁３５の円形溝内で回転するとともに、その外周を前記包持部３７が包んで図５の抜止め状態となる。また、前記側面板３３と側面板３４及び開閉カバー３１の外面に等間隔で水平な化粧溝３８，…を多数形成してあり、特に前記側面板３４と開閉カバー３１の接合縁が一つの化粧溝３８内に設定されている。
【００１９】
また、前記化粧カバー体１の表裏一側部には、前記凹溝部５を形成し、前記レール部材２を取付けているが、表裏他側部には透明パネル２１と同様な透明パネル３９を固定するための装着部４０が形成され、該装着部４０に対向して保持部材４１の一端の脚片４２を本体レール３０に係合するとともに、途中部から分岐して延びた中間脚４３を側面板３３の下部裏面に係合し、該保持部材４１の下端部と前記装着部４０の下端部間にパッキン部材４４を介在させて透明パネル３９を挟持している。ここで、前記移動枠体３に透明パネル２１を装着してドアパネルを構成した場合には、前記透明パネル３９は、通路となる開口部を除いた位置に設けられる。従って、前記透明パネル３９を設けない位置の本体レール３０の装着部４０には、前記保持部材４１の代わりに図示しないカバー部材を装着するようにしている。
【００２０】
最後に、下部の構造を図７に基づき簡単に説明する。前記移動枠体３の下端部には下枠材４５を有し、該下枠材４５の下端に形成した下方開放した凹溝４６内に、床面Ｆに取付けた振止具４７を位置させて横振れを規制して案内するようにしている。ここで、前記振止具４７は、前記凹溝４６内の前後側壁面に接触して水平回転するローラ４８若しくはスライダーを有している。尚、前記振止具４７の代わりにレールを床面Ｆに設けてもよいが、バリアーフリーを実現するには、前記振止具４７を邪魔にならない位置に設けておくことが好ましい。また、前記透明パネル３９の下端部は、同じく図７に示すように、高さ調節可能な巾木構造体４９によって保持されている。前記巾木構造体４９は、床面Ｆに取付けた上方開放の下レール部材５０に、型材からなる巾木本体部５１の下方開放した凹溝５２を外嵌するとともに、下レール部材５０の溝内に間隔を設けて設置したアジャスター具５３で巾木本体部５１の凹溝５２内の上壁面を支持している。そして、前記巾木本体部５１は、上部に前記化粧カバー体１の装着部４０と同様な装着部５４を有し、該装着部５４に対向して巾木本体部５１に連結した保持部材５５とで、前記同様なパッキン４４を介して前記透明パネル３９の下端部を保持している。
【００２１】
【発明の効果】
以上にしてなる請求項１に係る発明の移動枠体装置は、下方開放した凹溝部を長手方向に沿って設けた化粧レール体を天井に配設し、前記凹溝部内に固定レールを取付けるとともに、該固定レールに対して往復移動可能に装着した可動レールに支持部材を介して移動枠体を吊支し、前記支持部材は、前記移動枠体の移動方向長さよりも若干短く設定してあり、前記可動レールを上面にネジ止めする上板と、該上板の前縁から垂下した前板、及び該前板の下縁を後方へ直角に折曲した下板を有し、前記移動枠体の移動方向における両終端部に対応する前記化粧レール体の凹溝部内に、該移動枠体の移動方向に直交した水平な支軸にて回転可能なコロを取付け、前記支持部材の移動方向両端部で下板の延長部に、前記固定レールと可動レールとで構成したレール部材の横幅と略等しい横幅を有する板バネからなり、前記コロを弾性的に乗り越えるバネ部材の基部を、前記可動レールの端部が下方から直視できないように取付け、前記コロとバネ部材とで弾性的に係合する係止手段を設けたので、移動枠体をスムーズに移動案内することができるにも係らず、移動枠体が移動方向の両終端部において他の部材に衝突する衝撃力を和らげることができるとともに、その衝突の反動で跳ね返ってくるのを防止することもできる。移動枠体の移動方向の移動終端において、その直前から係止手段を構成するバネ部材が、コロを弾性的に乗り越えるので、衝撃力を和らげることになり、またバネ部材がコロを乗り越えた後には、移動終端での移動枠体の跳ね返りを防止することができる。また、バネ部材がコロを乗り越える際にも殆ど音が発生しないのである。更に、前記バネ部材によって、前記可動レールの端部が下方から直視できないようにできる。
【００２２】
請求項２によれば、移動枠体を用いてドアパネルを構成することができ、また透明又は半透明パネルとしてガラス板を採用したとしても衝撃が和らげられているので、ガラス板の割れや損傷を防止することができる。
【図面の簡単な説明】
【図１】  本発明に係る移動枠体装置の開閉カバーを省略した状態の正面図である。
【図２】  同じく移動枠体が移動終端に接近した状態を示す部分正面図である。
【図３】  同じく移動枠体が移動終端に到達した状態を示す部分正面図である。
【図４】  本発明の要部の分解斜視図である。
【図５】  同じく拡大縦断面図である。
【図６】  化粧レール体の詳細を示す拡大縦断面図である。
【図７】  下部構造を示す拡大断面図である。
【符号の説明】
１  化粧レール体      ２  レール部材
３  移動枠体          ４  係止手段
５  凹溝部            ６  支持部材
７  固定レール        ８  可動レール
９  リテナー          １０  ベアリング
１１  上板            １２  前板
１３  下板            １４  補強片
１５  係止孔          １６  挿入孔
１７  支持棒          １７Ａ  頭部
１７Ｂ  軸部          １８  固定金具
１８Ａ  垂直板        １８Ｂ  水平板
１８Ｃ  切欠凹部      １９  上枠材
２０  側枠材          ２１  透明パネル
２２  支軸            ２３  コロ
２４  バネ部材        ２５  端部材
２６  基部            ２７  延長部
２８  傾斜部          ２９  係止部
３０  本体レール      ３１  開閉カバー
３２  取付面          ３３  側面板
３４  側面板          ３５  記受縁
３６  嵌合部          ３７  包持部
３８  化粧溝          ３９  透明パネル
４０  装着部          ４１保持部材
４２  脚片            ４３中間脚
４４  パッキン部材    ４５  下枠材
４６  凹溝            ４７  振止具
４８  ローラ          ４９  巾木構造体
５０  下レール部材    ５１  巾木本体部
５２  凹溝            ５３  アジャスター具
５４  装着部          ５５  保持部材
Ｓ  天井              Ｆ  床面
【図１】
0003901003.tif 000002
【図２】
0003901003.tif 000003
【図３】
0003901003.tif 000004
【図４】
0003901003.tif 000005
【図５】
0003901003.tif 000006
【図６】
0003901003.tif 000007
【図７】
0003901003.tif 000008